(57)【要約】【課題】  種々の記録媒体を用いたインクジェット記録において、特に光沢紙を用いた場合において、光沢感のある画像の印刷物を得ることができるインク組成物を提供する。【解決手段】  顔料と水と下記式（１）で表される化合物とを含有する。【化１】2005225958.tif 000010〔式（１）中、Ｘ1、Ｘ2、Ｘ3はそれぞれＨまたはＰＯnを表し、Ｘ4はＨ、メチル基、エチル基またはＸ5Ｏ基を表し、Ｘ5はＨまたはＰＯnを表し、Ｘ4がＸ5Ｏ基以外の場合はＸ1、Ｘ2およびＸ3の少なくともいずれかはＰＯnであり、Ｘ4がＸ5Ｏ基の場合はＸ1、Ｘ2、Ｘ3およびＸ5の少なくともいずれかはＰＯnであり、ＰＯnは下記式（２）で示される基を表す。〕【化２】2005225958.tif 000011〔式（２）中、ｎは１〜１０の整数を表す。〕【選択図】  なし【特許請求の範囲】
【請求項１】
顔料と水と下記式（１）で表される化合物とを含有するインク組成物。
【化１】
2005225958.tif 000008
〔式（１）中、Ｘ1、Ｘ2、Ｘ3はそれぞれＨまたはＰＯnを表し、Ｘ4はＨ、メチル基、エチル基またはＸ5Ｏ基を表し、Ｘ5はＨまたはＰＯnを表し、Ｘ4がＸ5Ｏ基以外の場合はＸ1、Ｘ2およびＸ3の少なくともいずれかはＰＯnであり、Ｘ4がＸ5Ｏ基の場合はＸ1、Ｘ2、Ｘ3およびＸ5の少なくともいずれかはＰＯnであり、ＰＯnは下記式（２）で示される基を表す。〕
【化２】
2005225958.tif 000009
〔式（２）中、ｎは１〜１０の整数を表す。〕
【発明の詳細な説明】
【技術分野】
【０００１】
本発明は、インク組成物に関する。より詳しくは、種々の記録媒体に対して優れた光沢感を有する画像を得ることが可能なインクジェット記録用のインク組成物に関する。
【背景技術】
【０００２】
インクジェット記録方法は、インクの小滴を飛翔させ、紙等の記録媒体に付着させて印刷を行う記録方法である。近年のインクジェット記録技術の革新的な進歩により、インクジェット記録方法は、これまで銀塩写真やオフセット印刷によってのみ実現されてきた高精細印刷の分野にまで適用されるようになってきており、通常の紙のみならず、印画紙やアート紙等のような高い光沢性を有する光沢紙に対してもインクジェット記録が行われている。
【０００３】
インクジェット記録に用いられるインクとしては、水を主成分とし、これに色材及び有機溶剤その他の各種添加剤を含有させた水性インクが一般的である。色材としては、染料及び顔料があり、彩度の高さ、種類の豊富さ、水への溶解性等の理由で、現在は染料が主流となっている。しかし、染料は一般に耐候性に劣るため、染料インクにより文字及び／又は画像を印刷された印刷物は画像堅牢性に劣るという欠点を有している。これに対し、顔料は耐候性に優れているので、近年その需要が高まってきており、顔料の特性を活かした顔料インクの開発が進められている。顔料インクは、一定の粒径を有する顔料微粒子の分散液であり、記録媒体に付着後、乾燥してインク皮膜を形成する。種々の記録媒体において、特に普通紙を用いた場合でも、光沢感のある画像の印刷物を得るためには、このインク皮膜の表面をできるだけ平滑にして、光の拡散反射（乱反射）を抑える必要がある。
【０００４】
従来の顔料インク、特にインクジェット記録に用いられるような低粘度インクは、その性質上、樹脂をあまり含有させることができず、インク中の樹脂量が少ないため、そのインク皮膜が顔料微粒子を十分に被覆することができず、印刷面の表面に該顔料微粒子が露出して、該インク皮膜の表面がでこぼこになる結果、光の乱反射が発生して、光沢感のある印刷物を提供できないという問題があった。
このような問題を解決すべく、これまで、比較的低分子量の樹脂を使用する、樹脂エマルジョンを使用する等の方法が採られてきたが、前者の方法は、耐水性、耐擦性及び印字安定性の面で問題を生じるおそれがあり、また、後者の方法は、色安定性、印字安定性及び保存安定性の面で問題を生じるおそれがあった。
【０００５】
一方、特に普通紙において、比較的低い加熱温度で、にじみや混色の無い高品位な印字品質を実現するインクジェット記録方法に用いられるインク組成物として、プロピレンオキシド鎖とエチレンオキシド鎖を有する化合物を含むものが開示されている（例えば、特許文献１及び２参照。）。
【０００６】
【特許文献１】特開２０００−３２７９７５号公報
【特許文献２】特開２００１−２３４０９４号公報
【発明の開示】
【発明が解決しようとする課題】
【０００７】
しかしながら、上記特許文献１及び２には、優れた光沢感を有する画像を得ることについて、何も言及されていなかった。
従って、本発明の目的は、上記問題点を解決することであり、種々の記録媒体を用いたインクジェット記録において、特に光沢紙を用いた場合において、光沢感のある画像の印刷物を得ることができるインク組成物を提供することである。
【課題を解決するための手段】
【０００８】
本発明者は、鋭意検討を重ねた結果、以下の構成を採用することによって、上記目的が達成され、本発明を成すに至った。
即ち本発明は、顔料と水と下記式（１）で表される化合物とを含有するインク組成物、である。
【０００９】
【化１】
2005225958.tif 000002
【００１０】
〔式（１）中、Ｘ1、Ｘ2、Ｘ3はそれぞれＨまたはＰＯnを表し、Ｘ4はＨ、メチル基、エチル基またはＸ5Ｏ基を表し、Ｘ5はＨまたはＰＯnを表し、Ｘ4がＸ5Ｏ基以外の場合はＸ1、Ｘ2およびＸ3の少なくともいずれかはＰＯnであり、Ｘ4がＸ5Ｏ基の場合はＸ1、Ｘ2、Ｘ3およびＸ5の少なくともいずれかはＰＯnであり、ＰＯnは下記式（２）で示される基を表す。〕
【００１１】
【化２】
2005225958.tif 000003
【００１２】
〔式（２）中、ｎは１〜１０の整数を表す。〕
【００１３】
本発明のインク組成物の作用機構としては、明確ではないが、前記式（１）で表される化合物を含有することにより、前記インク皮膜の乾燥収縮を抑制し、該インク皮膜表面における光の拡散反射を抑制できるものと推測される。
【発明を実施するための最良の形態】
【００１４】
以下、本発明のインク組成物について詳細に説明する。
本発明におけるインクジェット記録用インクとは、モノクロ印字を行う場合にはブラックインクを意味し、さらにカラー印字を行う場合にはカラーインク、具体的にはイエローインク、マゼンタインク、シアンインク、グリーンインク、ブラウンインク、レッドインク、ブルーインクおよびオレンジインク、更に場合によってブラックインクを意味するものとする。
【００１５】
本発明のインク組成物は、顔料と水と下記式（１）で表される化合物とを含有することを特徴とする。
【００１６】
【化３】
2005225958.tif 000004
【００１７】
〔式（１）中、Ｘ1、Ｘ2、Ｘ3はそれぞれＨまたはＰＯnを表し、Ｘ4はＨ、メチル基、エチル基またはＸ5Ｏ基を表し、Ｘ5はＨまたはＰＯnを表し、Ｘ4がＸ5Ｏ基以外の場合はＸ1、Ｘ2およびＸ3の少なくともいずれかはＰＯnであり、Ｘ4がＸ5Ｏ基の場合はＸ1、Ｘ2、Ｘ3およびＸ5の少なくともいずれかはＰＯnであり、ＰＯnは下記式（２）で示される基を表す。〕
【００１８】
【化４】
2005225958.tif 000005
【００１９】
〔式（２）中、ｎは１〜１０の整数を表す。〕
【００２０】
本発明において式（１）の化合物は混合物として利用してもよい。
上記式（１）の化合物としては、一般名称として、ポリオキシエチレントリメチロールプロパンエーテル、ポリオキシエチレンペンタエリスリトールエーテルと称されるもの等が挙げられる。
上記式（１）の化合物として、市販されている具体的なものとしては、ポリオキシエチレントリメチロールプロパンエーテルとしては、日本乳化剤（株）製、ＴＭＰ−３０Ｕ、ＴＭＰ−６０、ＴＭＰ−Ｆ３２、ＰＮＴ−４０、ＰＮＴ−Ｆ４０、ＰＮＴ−６０等が挙げられ、その中でもＴＭＰ−Ｆ３２およびＰＮＴ−Ｆ４０が好適に用いられる。
【００２１】
本発明において、式（１）の化合物の添加量は、特に限定されないが、０．５〜１０質量％が好ましく、より好ましくは１〜５質量％である。０．５質量％以上で光沢がより向上し、１０質量％以下であると粘度が適正となる。
【００２２】
〔顔料〕
本発明によるインク組成物に含まれる顔料は、インク組成物中に分散状態で存在するものである。従って、本発明による顔料は、水（水性媒体）に良好に分散可能であれば特に限定されるものではない。
【００２３】
本発明のインク組成物に用いることができる顔料としては、有機顔料、無機顔料等が挙げられ、例えば、ブラック用の無機顔料としては、ファーネスブラック、ランブブラック、アセチレンブラック、若しくはチャネルブラック等のカーボンブラック（Ｃ．ｌ．ピグメントブラック７）類、あるいは酸化鉄顔料等を挙げることができる。また、ブラック用の有機顔料としては、アニリンブラック（Ｃ．ｌ．ピグメントブラック１）等の黒色有機顔料を用いることができる。
【００２４】
イエローインク用顔料としては、Ｃ．ｌ．ピグメントイエロー１（ハンザイエロー）、３（ハンザイエロー１０Ｇ）、１２、１３、１４、１７、２４（フラバントロンイエロー）、３４、３５、３７、５３、５５、６５、７３、７４、８１、８３、９３、９４、９５、９７、９８、９９、１０８（アントラピリミジンイエロー）、１０９、１１０、１１３、１１７（銅錯塩顔料）、１２０、１２８、１３３（キノフタロン）、１３８、１３９（イソインドリノン）、１４７、１５１、１５３（ニッケル錯体顔料）、１５４、１６７、１７２、１８０などを挙げることができる。
【００２５】
更に、マゼンタインク用の顔料としては、Ｃ．ｌ．ピグメントレッド１（パラレッド）、２、３（トルイジンレッド）、５（ｌＴＲ Ｒｅｄ）、７、９、１０、１１、１２、１７、３０、３１、３８（ピラゾロンレッド）、４２、８８（チオインジゴ）、１１２（ナフトールＡＳ系）、１１４（ナフトールＡＳ系）、１２２（ジメチルキナクリドン）、１２３、１４４、１４９、１５０、１６６、１６８（アントアントロンオレンジ）、１７０（ナフトールＡＳ系）、１７１、１７５、１７６、１７７、１７８、１７９（ベリレンマルーン）、１８５、１８７、２０９（ジクロロキナクリドン）、２１９、２２４（ベリレン系）、２４５（ナフトールＡＳ糸）、又は、Ｃ．Ｉ．ピグメントバイオレット１９（キナクリドン）、２３（ジオキサジンバイオレット）、３２、３３、３６、３８、４３、５０などを挙げることができる。
【００２６】
更にまた、シアンインク用の顔料としては、Ｃ．ｌ．ピグメントブルー１５、１５：１、１５：２、１５：３、１６（無金属フタロシアニン）、１８（アルカリブルートナー）、２５、６０（スレンブルー）、６５（ビオラントロン）、６６（インジゴ）等を挙げることができる。
【００２７】
更にまた、マゼンタ、シアン、又はイエローインク以外のカラーインクに用いる有機顔料として、Ｃ．Ｉ．ピグメントグリーン７（フタロシアニングリーン）、１０（グリーンゴールド）、３６、３７；Ｃ．Ｉ．ピグメントブラウン３、５、２５、２６；あるいはＣ．Ｉ．ピグメントオレンジ１、２、５、７、１３、１４、１５、１６、３４、３６、３８等を用いることができる。
【００２８】
その他顔料を樹脂等で処理したグラフトカーボン等の加工顔料等も使用することができる。
【００２９】
本発明のインク組成物においては、前記の顔料を１種で又は２種以上を組み合わせて使用することができる。
【００３０】
顔料の添加量は、特に限定されないが、０．５〜３０重量％が好ましく、１．０〜１２重量％がより好ましい。０．５重量％以上であると、印字濃度がより適切になり、３０重量％以下であると、インクの粘度特性がより適切になり、吐出安定性が向上する。
【００３１】
また、本発明のインク組成物中の顔料の平均粒径は、特に限定されないが、好ましい態様として、３０〜１２０ｎｍの範囲であり、より好ましくは３０〜１００ｎｍであり、更に好ましくは３０〜８０ｎｍである。
平均粒径が３０ｎｍ以上であれば、普通紙での発色性（ＯＤ）が出易く、１２０ｎｍ以下であると光沢紙の光沢性が出易くなる。
【００３２】
顔料は、水性媒体中に分散剤により分散されていてもよい。分散剤の例としては、その分子骨格がスチレン−アクリル酸共重合体樹脂であり、重量平均分子量（以後単に分子量と称す）が１６００〜２５０００かつ酸価が１００〜２５０のものが使用できる。その具体例としては、ジョンソンポリマー株式会社製、ジョンクリル６８（分子量１００００、酸価１９５）、ジョンクリル６８０（分子量３９００、酸価２１５）、ジョンクリル６８２（分子量１６００、酸価２３５）、ジョンクリル５５０（分子量７５００、酸価２００）、ジョンクリル５５５（分子量５０００、酸価２００）、ジョンクリル５８６（分子量３１００、酸価１０５）、ジョンクリル６８３（分子量７３００、酸価１５０）、Ｂ−３６（分子量６８００、酸価２５０）等である。
【００３３】
また、顔料として、その表面に官能基が導入され、水性溶媒に単独で分散可能な表面処理カーボンブラックまたは有機顔料を用いても良い。
【００３４】
〔水、その他〕
本発明によるインク組成物は、水（水性媒体）を含んでなる。また、本発明によるインク組成物には、この水と相溶性を有し、インク組成物に含まれる顔料、式（１）の化合物、さらには後記する種々の成分を安定に溶解または分散させて保持する水溶性有機溶媒を含むことが好ましい。
【００３５】
その水溶性有機溶媒の好ましい例としては、水との溶解性の低いグリコールエーテル類や他の成分の溶解性を向上させ、さらに記録媒体（例えば紙）に対する浸透性を向上させ、またノズルの目詰まりを防止する機能が期待できるものとして、エタノール、メタノール、ブタノール、プロパノール、イソプロパノールなどの炭素数１から４のアルキルアルコール類、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、ジエチレングリコールモノ−ｎ−ブチルエーテル、トリエチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテル、プロピレングリコールモノ−ｎ−ブチルエーテル、ジプロピレングリコールモノ−ｎ−ブチルエーテルなどのグリコールエーテル類（中でも、ジエチレングリコールモノ−ｎ−ブチルエーテルおよびトリエチレングリコールモノ−ｎ−ブチルエーテルが好ましい）、ホルムアミド、アセトアミド、ジメチルスルホキシド、ソルビット、ソルビタン、アセチン、ジアセチン、トリアセチン、スルホラン、およびこれらの混合物が挙げられる。
【００３６】
また、本発明によるインク組成物には、記録ヘッドのノズル前面におけるインクの乾燥を抑えるために、水溶性有機溶媒としてグリコール類を添加することができ、その例としてはエチレングリコール、ジエチレングリコール、トリエチレングリコール、プロピレングリコール、ジプロピレングリコール、トリプロピレングリコール、分子量２０００以下のポリエチレングリコール、１、３−プロピレングリコール、イソプロピレングリコール、イソブチレングリコール、１、４−ブタンジオール、１、３−ブタンジオール、１、５−ペンタンジオール、１、６−ヘキサンジオール、グリセリン、メソエリスリトール、ペンタエリスリトールなどを挙げることができる。さらに、同様な目的で、糖類を用いることもできる。その例としては、単糖類および多糖類が挙げられ、グルコース、マンノース、フルクトース、リボース、キシロース、アラビノース、ラクトース、ガラクトース、アルドン酸、グルシトース、マルトース、セロビオース、スクロース、トレハロース、マルトトリオース等の他にアルギン酸およびその塩、シクロデキストリン類、セルロース類を用いることができる。その添加量は適宜決定されてよいが、０．０５重量％以上３０重量％以下が好ましい。上記範囲にあることで、インク組成物がヘッドの先端で乾燥しても、この目詰まりを回復させることが容易に出来、また安定な印字が可能なインク組成物の粘度を容易に実現することができる。本発明の好ましい態様によれば、グルコース、マンノース、フルクトース、リボース、キシロース、アラビノース、ラクトース、ガラクトース、アルドン酸、グルシトース、マルトース、セロビオース、スクロース、トレハロース、マルトトリオースのより好ましい添加量は３〜２０重量％である。なお、アルギン酸およびその塩、セルロース類の添加はインク組成物の粘度を高くする傾向があるため、その添加量には留意が必要である。
【００３７】
また、本発明によるインク組成物は、その浸透性を制御するため、または式（１）で表される化合物の水溶性を向上させるために、界面活性剤を添加することも可能である。添加する界面活性剤は、インク組成物中の他の成分と相溶性のよいものが好ましい。また、浸透性が高く安定な界面活性剤が好ましい。界面活性剤としては、両性界面活性剤、非イオン界面活性剤の利用が好ましい。
【００３８】
両性界面活性剤の好ましい例としては、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシンその他イミダゾリン誘導体などが挙げられる。
【００３９】
非イオン性界面活性剤の好ましい例としては、ポリオキシエチレンノニルフェニルエーテル、ポリオキシエチレンオクチルフェニルエーテル、ポリオキシエチレンドデシルフェニルエーテル、ポリオキシエチレンアルキルアリルエーテル、ポリオキシエチレンオレイルエーテル、ポリオキシエチレンラウリルエーテル、ポリオキシエチレンアルキルエーテル、ポリオキシアルキレンアルキルエーテルなどのエーテル系、ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート、ポリオキシエチレンステアレートなどのエステル系、その他フッ素アルキルエステル、パーフルオロアルキルカルボン酸塩などの含フッ素系界面活性剤などが挙げられる。本発明に用いる非イオン性界面活性剤としては、アセチレングリコール系の界面活性剤が好ましく市販品として日信化学工業株式会社製オルフィンＥ１０１０、オルフィンＳＴＧ、エアープロダクツ（米国）製サーフィノール６１が入手できる。
【００４０】
本発明によるインク組成物は、防腐剤、防かび剤を含んでなることが出来る。その例としては、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジソチアゾリン−３−オン（ＩＣＩ社のプロキセルＣＲＬ、プロキセルＢＤＮ、プロキセルＧＸＬ、プロキセルＸＬ−２、プロキセルＴＮ）などが挙げられる。
【００４１】
また、本発明によるインク組成物は、必要により、ｐＨ調整剤、溶解助剤、酸化防止剤を含むことができ、その例としてはジエタノールアミン、トリエタノールアミン、プロパノールアミン、モルホリンなどのアミン類およびそれらの変成物、水酸化カリウム、水酸化ナトリウム、水酸化リチウムなどの無機塩類、水酸化アンモニウム、４級アンモニウム水酸化物（テトラメチルアンモニウムなど）、炭酸カリウム、炭酸ナトリウム、炭酸リチウムなどの炭酸塩類その他燐酸塩、Ｎ−メチル−２−ピロリドン、尿素、チオ尿素、テトラメチル尿素などの尿素類、アロハネート、メチルアロハネートなどのアロハネート類、ビウレット、ジメチルビウレット、テトラメチルビウレットなどのビウレット類など、Ｌ−アスコルビン酸およびその塩などが挙げられる。さらに、本発明によるインク組成物は、酸化防止剤、紫外線吸収剤を含んでなることができる。
【００４２】
〔インクジェット記録方法および装置〕
本発明によるインク組成物が用いられるインクジェット記録方法は、インク組成物の液滴を吐出し、該液滴を加熱された記録媒体に付着させて印字を行うものである。インク組成物の液滴を吐出する方法の例としては、例えば電歪素子を用いて電気信号を機械信号に変換して、ノズルヘッド部分に貯えたインクを断続的に吐出して記録媒体表面に文字や記号を記録する方法、ノズルヘッド部分に貯えたインクを吐出部分に極めて近い箇所で急速に加熱し泡を発生させ、その泡による体積膨張で断続的に吐出することで記録媒体表面に文字や記号を記録する方法が挙げられる。本発明の好ましい態様によれば、本発明によるインク組成物は、電歪素子を用いたインクジェット記録方法に好ましく用いられる。インク組成物の液滴を吐出は、圧電素子の力学的作用を利用してインク滴を吐出させる記録ヘッドにより行われることが好ましい。
【実施例】
【００４３】
以下に本発明を実施例によって更に具体的に説明するが、勿論本発明の範囲は、これらによって限定されるものではない。
（分散体１〜６の製造）
まず、分散体１はＣ．Ｉ．ピグメントブルー１５：３を用いる。攪拌機、温度計、還流管および滴下ロートを備えた反応容器を窒素置換した後、スチレン２０部、２−エチルヘキシルメタクリレート５部、ブチルメタクリレート1５部、ラウリルメタクリレート１０部、メタクリル酸２部、ｔ−ドデシルメルカプタン０．３部を入れて７０℃に加熱し、別に用意したスチレン１５０部、アクリル酸１５部、ブチルメタクリレート５０部、ｔ−ドデシルメルカプタン１部、メチルエチルケトン２０部およびアゾビスイソブチロニトリル１部を滴下ロートに入れて４時間かけて反応容器に滴下しながら分散ポリマーを重合反応させる。次に、反応容器にメチルエチルケトンを添加して４０％濃度の分散ポリマー溶液を作成する。
【００４４】
また、上記分散ポリマー溶液４０部とＣ．Ｉ．ピグメントブルー１５：３を３０部、０．１ｍｏｌ／リットルの水酸化ナトリウム水溶液１００部、メチルエチルケトン３０部を混合し、ホモジナイザーで３０分間攪拌する。その後、イオン交換水を３００部添加して、さらに１時間攪拌する。そして、ロータリーエバポレーターを用いてメチルエチルケトンの全量と水の一部を留去して、０．１ｍｏｌ／リットルの水酸化ナトリウムで中和してｐＨ９に調整してから０．３μｍのメンブレンフィルターでろ過して固形分（分散ポリマーと顔料）が２０％である分散体１とする。
上記と同様な手法で分散体２〜６を得る。分散ポリマーと顔料の重量比が２０：８０になるように調整する。分散体２はＣ．Ｉ．ピグメントバイオレット１９を、分散体３はＣ．Ｉ．ピグメントイエロー７４を、分散体４はＣ．Ｉ．ピグメントブルー１５：４を、分散体５はＣ．Ｉ．ピグメントレッド２０２を、分散体６はＣ．Ｉ．ピグメントイエロー１２８を用いる。
【００４５】
（インクジェットインクの調製例）
以下、インク組成物の具体例としてのインクジェット記録用インクに好適な組成の例を示す。分散体の添加量はその量（固形分濃度：顔料と分散ポリマーの合計量）を質量で換算したものとして示す。尚、本組成例中の残量の水の中にはインクの腐食防止のためトップサイド２４０（パーマケムアジア社製）を０．０５％、インクジェットヘッド部材の腐食防止のためベンゾトリアゾールを０．０２％、インク系中の金属イオンの影響を低減するためにＥＤＴＡ（エチレンジアミン四酢酸）・２Ｎａ塩を０．０４％それぞれイオン交換水に添加したものを用いた。インク組成を表１に示す。
【００４６】
【表１】
2005225958.tif 000006
【００４７】
表1中
ＴＭＰ−Ｆ３２：本発明の式（１）で表される化合物，日本乳化剤（株）製  ポリオキシプロピレントリメチロールプロパンエーテル
ＰＮＴ−Ｆ４０：本発明の式（１）で表される化合物，日本乳化剤（株）製  ポリオキシエチレンペンタエリスリトールエーテル
ＴＥＧｍＢＥ：トリエチレングリコールモノブチルエーテル
ＤＥＧｍＢＥ：ジエチレングリコールモノブチルエーテル
ＰＧｍＢＥ：プロピレングリコールモノブチルエーテル
１，２−ＨＤ：１，２−ヘキサンジオール
１，２−ＰＤ：１，２−ペンタンジオール
２−Ｐ：２−ピロリドン
ＧＬ：グリセリン
ＴＥＡ：トリエタノールアミン
ＴＭＰ：トリメチロールプロパン
オルフィンＥ１０１０（アセチレングリコール系界面活性剤：日信化学工業株式会社製）
オルフィンＳＴＧ（アセチレングリコール系界面活性剤：日信化学工業株式会社製）
サーフィノール６１（アセチレンアルコール系界面活性剤：エアープロダクツ(米国）製）
をそれぞれ示す。
【００４８】
次に、表２に記録物の光沢度の評価方法について示す。
光沢度は各インク組成物を、インクジェットプリンターＥＭ−９３０Ｃ（セイコーエプソン株式会社製）を用いて、ＰＭ写真用紙（セイコーエプソン株式会社製）に７２０×７２０ｄｐｉでベタ印刷して、入射角６０度における記録面の鏡面光沢度をグロスチェッカ（ＩＧ−３２０：堀場製作所製）にて測定を行い、各記録紙ごとに５回の平均をとった値とする。
【００４９】
【表２】
2005225958.tif 000007
【００５０】
表２の結果から明らかなように、本発明のインク組成物では光沢度が良好であることがわかる。
尚、本発明はこれら実施例に限定されるものではなく、本発明の趣旨を逸脱しない限り種々の変更は可能である。